(57)【要約】【課題】画像を１部印刷し、ユーザーによる印刷画像の目視確認及び設定変更後、画像を残り部数だけ印刷する技術において、益々ユーザーフレンドリーとすることにある。【解決手段】画像形成装置は、印刷対象の画像を取得して記憶する画像取得部と、画像の印刷部数を取得する部数取得部と、画像に適用される設定値を取得して記憶する設定値取得部と、設定値を画像取得部が取得した画像に適用して設定値適用画像を生成して記憶する設定値適用部と、設定値適用画像を特定部数印刷し、設定値取得部が異なる複数の設定値を取得して記憶し、設定値適用部が複数の設定値をそれぞれ画像取得部が取得した画像に適用して異なる複数の設定値適用画像を生成して記憶し、複数の設定値適用画像をそれぞれ特定部数ずつ印刷したとき、記憶した複数の設定値適用画像のうち何れか１つの設定値適用画像を、印刷部数から特定部数少ない部数、印刷する印刷実行部とを具備する。【選択図】図３
2018089841.tif 000002
【特許請求の範囲】
【請求項１】
印刷対象の画像を取得して記憶する画像取得部と、
前記画像の印刷部数を取得する部数取得部と、
前記画像に適用される設定値を取得して記憶する設定値取得部と、
前記設定値を前記画像取得部が取得した画像に適用して設定値適用画像を生成して記憶する設定値適用部と、
前記設定値適用画像を特定部数印刷し、
前記設定値取得部が異なる複数の前記設定値を取得して記憶し、前記設定値適用部が前記複数の設定値をそれぞれ前記画像取得部が取得した画像に適用して異なる複数の前記設定値適用画像を生成して記憶し、前記複数の設定値適用画像をそれぞれ前記特定部数ずつ印刷したとき、
前記記憶した複数の設定値適用画像のうち何れか１つの前記設定値適用画像を、前記印刷部数から前記特定部数少ない部数、印刷する
印刷実行部と
を具備する画像形成装置。
【請求項２】
請求項１に記載の画像形成装置であって、
前記特定部数は１部である
画像形成装置。
【請求項３】
請求項１又は２に記載の画像形成装置であって、
前記画像取得部は、複数頁の前記印刷対象の画像を取得し、
前記設定値取得部は、前記設定値適用画像の少なくとも１頁の、異なる前記設定値を適用した前記設定値適用画像の同じ頁による置換を、前記設定値として取得し、
前記設定値適用部は、
前記異なる設定値を、前記画像取得部が取得した画像の前記少なくとも１頁に適用して、前記異なる設定値を適用した前記設定値適用画像の前記同じ頁を新たに生成し、
前記設定値適用画像の前記少なくとも１頁を、前記新たに生成した前記同じ頁により置換する
画像形成装置。
【請求項４】
請求項１乃至３の何れか一項に記載の画像形成装置であって、
前記画像取得部は、複数頁の前記印刷対象の画像を取得し、
前記設定値取得部は、前記設定値適用画像の少なくとも１頁の削除を、前記設定値として取得する
画像形成装置。
【請求項５】
画像形成装置のコンピューターを、
印刷対象の画像を取得して記憶する画像取得部と、
前記画像の印刷部数を取得する部数取得部と、
前記画像に適用される設定値を取得して記憶する設定値取得部と、
前記設定値を前記画像取得部が取得した画像に適用して設定値適用画像を生成して記憶する設定値適用部と、
前記設定値適用画像を特定部数印刷し、
前記設定値取得部が異なる複数の前記設定値を取得して記憶し、前記設定値適用部が前記複数の設定値をそれぞれ前記画像取得部が取得した画像に適用して異なる複数の前記設定値適用画像を生成して記憶し、前記複数の設定値適用画像をそれぞれ前記特定部数ずつ印刷したとき、
前記記憶した複数の設定値適用画像のうち何れか１つの前記設定値適用画像を、前記印刷部数から前記特定部数少ない部数、印刷する
印刷実行部と
して機能させるプログラム。
【発明の詳細な説明】
【技術分野】
【０００１】
本開示は、画像を特定部数印刷し、ユーザーによる印刷画像の目視確認及び画像の設定変更後、残り部数の画像を印刷することが可能な画像形成装置及びプログラムに関する。
【背景技術】
【０００２】
画像を１部印刷（所謂、お試し印刷、trial printing）し、ユーザーによる印刷画像の目視確認及び設定変更後、画像を残り部数だけ印刷することが可能な画像形成装置が知られている（特許文献１）。
【先行技術文献】
【特許文献】
【０００３】
【特許文献１】特開２００４−０１５４７５号公報
【発明の概要】
【発明が解決しようとする課題】
【０００４】
画像を１部印刷し、ユーザーによる印刷画像の目視確認及び設定変更後、画像を残り部数だけ印刷する技術においては、益々ユーザーフレンドリーとすることが望まれる。
【０００５】
以上のような事情に鑑み、本開示の目的は、画像を特定部数印刷し、ユーザーによる印刷画像の目視確認及び設定変更後、画像を残り部数だけ印刷する技術において、益々ユーザーフレンドリーとすることにある。
【課題を解決するための手段】
【０００６】
本開示の一形態に係る画像形成装置は、
印刷対象の画像を取得して記憶する画像取得部と、
前記画像の印刷部数を取得する部数取得部と、
前記画像に適用される設定値を取得して記憶する設定値取得部と、
前記設定値を前記画像取得部が取得した画像に適用して設定値適用画像を生成して記憶する設定値適用部と、
前記設定値適用画像を特定部数印刷し、
前記設定値取得部が異なる複数の前記設定値を取得して記憶し、前記設定値適用部が前記複数の設定値をそれぞれ前記画像取得部が取得した画像に適用して異なる複数の前記設定値適用画像を生成して記憶し、前記複数の設定値適用画像をそれぞれ前記特定部数ずつ印刷したとき、
前記記憶した複数の設定値適用画像のうち何れか１つの前記設定値適用画像を、前記印刷部数から前記特定部数少ない部数、印刷する
印刷実行部と
を具備する。
【０００７】
本形態によれば、設定値適用部は、複数回分、設定値適用画像を記憶する。これにより、以前の試行回の印刷結果が良かったとユーザーが後々考える場合、その試行回の設定値適用画像を選択し、印刷することができる。言い換えれば、以前の設定値を入力し直す必要が無い。
【０００８】
前記特定部数は、１部である。
【０００９】
本形態によれば、画像取得部が取得した画像と各設定値適用画像の１部ずつの印刷結果に基づいて、設定値適用画像を選択することができる。
【００１０】
前記画像取得部は、複数頁の前記印刷対象の画像を取得し、
前記設定値取得部は、前記設定値適用画像の少なくとも１頁の、異なる前記設定値を適用した前記設定値適用画像の同じ頁による置換を、前記設定値として取得し、
前記設定値適用部は、
前記異なる設定値を、前記画像取得部が取得した画像の前記少なくとも１頁に適用して、前記異なる設定値を適用した前記設定値適用画像の前記同じ頁を新たに生成し、
前記設定値適用画像の前記少なくとも１頁を、前記新たに生成した前記同じ頁により置換する。
【００１１】
本形態によれば、画像取得部はオリジナル画像を記憶し、設定値取得部は設定値を記憶する。これにより、一部の頁は或る試行回の印刷結果が良いが、その他の頁は別の試行回の印刷結果が良いとユーザー考える場合、その一部の頁だけ、或る試行回の設定値を適用して設定値適用画像を新たに作り直すことができる。そして、新たに作り直した一部の頁の設定値適用画像を、別の試行回の設定値適用画像の同じ頁に置換することができる。これにより、一部の頁は或る試行回の印刷結果が良いが、その他の頁は別の試行回の印刷結果が良いとユーザーが考える場合、頁毎に、異なる試行回の設定値を選択して設定値適用画像を生成することができる。
【００１２】
前記画像取得部は、複数頁の前記印刷対象の画像を取得し、
前記設定値取得部は、前記設定値適用画像の少なくとも１頁の削除を、前記設定値として取得する
画像形成装置。
【００１３】
本形態によれば、１頁削除したとしても、削除した頁だけ、或る試行回の設定値を適用して設定値適用画像を新たに作り直すことができる。そして、新たに作り直した一部の頁の設定値適用画像を、削除した頁に置換することができる。
【００１４】
本開示の一形態に係るプログラムは、
画像形成装置のコンピューターを、
印刷対象の画像を取得して記憶する画像取得部と、
前記画像の印刷部数を取得する部数取得部と、
前記画像に適用される設定値を取得して記憶する設定値取得部と、
前記設定値を前記画像取得部が取得した画像に適用して設定値適用画像を生成して記憶する設定値適用部と、
前記設定値適用画像を特定部数印刷し、
前記設定値取得部が異なる複数の前記設定値を取得して記憶し、前記設定値適用部が前記複数の設定値をそれぞれ前記画像取得部が取得した画像に適用して異なる複数の前記設定値適用画像を生成して記憶し、前記複数の設定値適用画像をそれぞれ前記特定部数ずつ印刷したとき、
前記記憶した複数の設定値適用画像のうち何れか１つの前記設定値適用画像を、前記印刷部数から前記特定部数少ない部数、印刷する
印刷実行部と
して機能させる。
【発明の効果】
【００１５】
本開示によれば、画像を特定部数印刷し、ユーザーによる印刷画像の目視確認及び設定変更後、画像を残り部数だけ印刷する技術において、益々ユーザーフレンドリーとすることができる。
【００１６】
なお、ここに記載された効果は必ずしも限定されるものではなく、本開示中に記載されたいずれかの効果であってもよい。
【図面の簡単な説明】
【００１７】
【図１】本開示の一実施形態に係る画像形成装置のハードウェア構成を示す。
【図２】画像形成装置の機能的構成を示す。
【図３】画像形成装置の動作フローを示す。
【図４】２試行目以降に表示されるサムネイルの具体例を示す。
【図５】２試行目以降に表示されるサムネイルの具体例を示す。
【図６】異なる試行の画像の置換を実現するための具体的な方法を示す。
【発明を実施するための形態】
【００１８】
以下、図面を参照しながら、本開示の実施形態を説明する。
【００１９】
１．画像形成装置のハードウェア構成
図１は、本開示の一実施形態に係る画像形成装置のハードウェア構成を示す。
【００２０】
画像形成装置１０は、典型的には、ＭＦＰ（Multifunction Peripheral）であり、以下単にＭＦＰ１０と称する。
【００２１】
ＭＦＰ１０は、制御部１１を備える。制御部１１は、ＣＰＵ（Central Processing Unit）、ＲＡＭ（Random Access Memory）、ＲＯＭ（Read Only Memory）及び専用のハードウェア回路等から構成され、ＭＦＰ１０の全体的な動作制御を司る。ＭＦＰ１０を各機能部（後述）として機能させるコンピュータプログラムは、ＲＯＭ等の非一過性のコンピューター読み取り可能な記憶媒体に記憶される。
【００２２】
制御部１１は、画像読取部１２、画像処理部１４、画像メモリー１５、画像形成部１６、操作部１７、記憶部１８、ネットワーク通信部１３等と接続されている。制御部１１は、接続されている上記各部の動作制御や、各部との間での信号又はデータの送受信を行う。
【００２３】
制御部１１は、ユーザーから、操作部１７またはネッワーク接続されたパーソナルコンピュータ（図示せず）等を通じて入力されるジョブの実行指示に従って、スキャナー機能、印刷機能及びコピー機能機能などの各機能についての動作制御を実行するために必要な機構の駆動及び処理を制御する。
【００２４】
画像読取部１２は、原稿から画像を読み取る。
【００２５】
画像処理部１４は、画像読取部１２で読み取られた画像の画像データを必要に応じて画像処理する。例えば、画像処理部１４は、画像読取部１２により読み取られた画像が画像形成された後の品質を向上させるために、シェーディング補正等の画像処理を行う。
【００２６】
画像メモリー１５は、画像読取部１２による読み取りで得られた原稿画像のデータを一時的に記憶したり、画像形成部１６での印刷対象となるデータを一時的に記憶したりする領域を有する。
【００２７】
画像形成部１６は、画像読取部１２で読み取られた画像データ等の画像形成を行う。
【００２８】
操作部１７は、ＭＦＰ１０が実行可能な各種動作及び処理についてユーザーからの指示を受け付けるタッチパネル部および操作キー部を備える。タッチパネル部は、タッチパネルが設けられたＬＣＤ（Liquid Crystal Display）等の表示部１７ａを備えている。
【００２９】
ネットワーク通信部１３は、ネットワークに接続するためのインターフェースである。
【００３０】
記憶部１８は、画像読取部１２によって読み取られた原稿画像等を記憶する、ＨＤＤ（Hard Disk Drive）などの大容量の記憶装置である。
【００３１】
２．画像形成装置の機能的構成
図２は、画像形成装置の機能的構成を示す。
【００３２】
ＭＦＰ１０は、コンピューター読み取り可能な非一過性の記憶媒体の一例であるＲＯＭに記憶された情報処理プログラムをＲＡＭにロードして実行することで、画像取得部１０１と、部数取得部１０２と、設定値取得部１０３と、設定値適用部１０４と、印刷実行部１０５として機能する。
【００３３】
画像取得部１０１は、画像読取部１２が読み取った印刷対象の画像（１頁以上）を取得し、取得した画像（オリジナル画像）を、画像メモリー１５に記憶する。
【００３４】
部数取得部１０２は、ユーザーによる操作部１７に対する特定の操作に基づき、画像の印刷部数（コピー部数）を取得する。
【００３５】
設定値取得部１０３は、ユーザーによる操作部１７に対する特定の操作に基づき、画像に適用される設定値を取得する。
【００３６】
設定値適用部１０４は、設定値取得部１０３が取得した設定値を、画像取得部１０１が取得したオリジナル画像に適用して、設定値適用画像を生成し、画像メモリー１５に記憶する。
【００３７】
印刷実行部１０５は、画像取得部１０１が取得したオリジナル画像や、設定値適用部１０４が生成した設定値適用画像を、画像形成部１６に出力し、印刷する。
【００３８】
３．画像形成装置の動作フロー
図３は、画像形成装置の動作フローを示す。
【００３９】
画像読取部１２は、ユーザーが画像読取部１２にセットした原稿（１枚以上）から印刷対象の画像を読み取る（スキャンする）。このとき、画像読取部１２は、例えば、対応可能な最高解像度、フルカラー、等倍、及び最高画質で原稿を読み取る。画像取得部１０１は、画像読取部１２が読み取った印刷対象の画像（１頁以上）を取得する。画像取得部１０１は、取得した画像（オリジナル画像）を、画像メモリー１５に記憶する（ステップＳ１０１）。
【００４０】
一方、部数取得部１０２は、ユーザーによる操作部１７に対する特定の操作に基づき、画像の印刷部数（コピー部数）を取得する（ステップＳ１０２）。本実施形態では、印刷部数は複数とする。
【００４１】
一方、画像取得部１０１は、取得したオリジナル画像を、表示部１７ａにプレビュー表示する（ステップＳ１０３）。なお、ユーザーのニーズに応じて、オリジナル画像をプレビュー表示すればよく、プレビュー表示はスキップしてもよい。
【００４２】
印刷実行部１０５は、画像取得部１０１が取得したオリジナル画像を、画像形成部１６に出力し、１部（特定部数の一例）印刷する（１試行目のお試し印刷）（ステップＳ１０４）。
【００４３】
ユーザーは、１部印刷されたオリジナル画像を、目視確認する。ユーザーは、印刷結果に満足すれば、オリジナル画像を残り部数印刷するよう、操作部１７を操作する（ステップＳ１０５、ＮＯ）。印刷実行部１０５は、ユーザーによる操作部１７に対する特定の操作に基づき、オリジナル画像を、印刷対象の画像として選択する（ステップＳ１０８）。印刷実行部１０５は、部数取得部１０２が取得した印刷部数から１部少ない部数、印刷する（ステップＳ１０９）。
【００４４】
一方、ユーザーは、印刷結果（１試行目のお試し印刷結果）に満足しなければ、設定値を入力するよう、操作部１７を操作する（ステップＳ１０５、ＹＥＳ）。
【００４５】
設定値取得部１０３は、画像取得部１０１が取得したオリジナル画像のサムネイルを、表示部１７ａに表示する。設定値取得部１０３は、ユーザーによる操作部１７に対する特定の操作に基づき、画像に適用される設定値を取得する。設定値取得部１０３は、取得した設定値を、メモリーに記憶する（ステップＳ１０６）。「設定値」の具体例は、倍率（拡大／縮小の％）、カラー（フルカラー／白黒）、画質（色合い、色調等）、ステープル（有／無）、ソート（有／無）等である。「設定値」の別の具体例は、複数頁の画像のうち、少なくとも１頁の削除である。例えば、３頁の画像のうち２頁目の削除である。「設定値」は、このような可変の値の集合である。
【００４６】
２試行目のステップＳ１０６では、設定値取得部１０３は、設定値適用画像の少なくとも１頁の、オリジナル画像（１試行目の画像）の同じ頁による置換を、設定値として取得することができる。例えば、設定値取得部１０３は、２試行目の設定値適用画像の２頁目の、オリジナル画像（１試行目の画像）の２頁目による置換を、設定値として取得することができる。
【００４７】
設定値適用部１０４は、設定値取得部１０３が取得した設定値を、画像取得部１０１が取得したオリジナル画像に適用して、設定値適用画像を生成する。設定値適用部１０４は、生成した設定値適用画像を、画像メモリー１５に記憶する（ステップＳ１０７）。設定値適用部１０４は、生成した設定値適用画像を、表示部１７ａにプレビュー表示する（ステップＳ１０３）。なお、ユーザーのニーズに応じて、設定値適用画像をプレビュー表示すればよく、プレビュー表示はスキップしてもよい。
【００４８】
印刷実行部１０５は、設定値適用部１０４が生成した設定値適用画像を、画像形成部１６に出力し、１部印刷する（２試行目のお試し印刷）（ステップＳ１０４）。
【００４９】
ユーザーは、１部印刷された設定値適用画像を、目視確認する。ユーザーは、印刷結果に満足すれば、設定値適用画像を残り部数印刷するよう、操作部１７を操作する（ステップＳ１０５、ＮＯ）。印刷実行部１０５は、ユーザーによる操作部１７に対する特定の操作に基づき、オリジナル画像又は設定値適用画像を、印刷対象の画像として選択する（ステップＳ１０８）。印刷実行部１０５は、部数取得部１０２が取得した印刷部数から１部少ない部数、印刷する（ステップＳ１０９）。
【００５０】
一方、ユーザーは、印刷結果（２試行目のお試し印刷結果）に満足しなければ、異なる設定値を入力するよう、操作部１７を操作する（ステップＳ１０５、ＹＥＳ）。これにより、ＭＦＰ１０は、ステップＳ１０６及びその先の動作を再び行う（３試行目以降）。
【００５１】
３試行目以降のステップＳ１０６では、設定値取得部１０３は、ユーザーによる操作部１７に対する特定の操作に基づき、画像に適用される設定値（先の試行の設定値と異なる設定値）を取得する。３試行目以降は、設定値取得部１０３は、設定値適用画像の少なくとも１頁の、オリジナル画像（１試行目の画像）の同じ頁又は異なる設定値を適用した設定値適用画像（２試行目等の画像）の同じ頁による置換を、設定値として取得することができる。例えば、設定値取得部１０３は、３試行目の設定値適用画像の２頁目の、オリジナル画像（１試行目の画像）の２頁目による置換を、設定値として取得することができる。あるいは、設定値取得部１０３は、３試行目の設定値適用画像の２頁目の、２試行目の設定値適用画像の２頁目による置換を、設定値として取得することができる。
【００５２】
異なる試行の画像の置換を実現する方法を説明する。
【００５３】
図４及び図５は、２試行目以降に表示されるサムネイルの具体例を示す。
２試行目以降、上に説明したステップＳ１０６において、設定値取得部１０３は、試行回数個の画像（オリジナル画像と、試行回数−１個の異なる設定値適用画像）のサムネイルを、表示部１７ａに表示する。８試行目に表示されるサムネイルの一例を説明する。
【００５４】
図４に示すように、オリジナル画像（１試行目の画像）の１頁目（図中、「丸囲みの１」で示す）のサムネイル-orgと、２〜８試行目の設定値適用画像の１頁目のサムネイル-2〜-8とが、表示部１７ａに表示される。
【００５５】
図５に示すように、例えば、表示部１７ａに表示されたタブ（図示せず）の選択により、オリジナル画像（１試行目の画像）の２頁目（図中、「丸囲みの２」で示す）のサムネイル-orgと、２〜８試行目の設定値適用画像の２頁目のサムネイル-2〜-8とが、表示部１７ａに表示される。８試行目の設定値適用画像の２頁目が削除されている場合、８試行目の設定値適用画像の２頁目のサムネイル-8は、点線やグレーアウトで表示される。操作部１７を介して、２頁目のサムネイル-3を２頁目のサムネイル-8の位置にドラッグする操作を行うことにより、削除された８試行目の２頁目の設定値適用画像に対して、別試行（例えば、３試行目）の２頁目の設定値適用画像を置換することができる。
【００５６】
図６は、異なる試行の画像の置換を実現するための具体的な方法を示す。
図５の画像の置換（８試行目の設定値適用画像の２頁目の、３試行目の設定値適用画像の２頁目による置換）を実現するための具体的な方法を説明する。８試行目の設定値適用画像の２頁目に対して、別試行目（３試行目）の設定値適用画像の同じ頁（２頁目）を置換する。これを実現するために、各画像の頁情報に、属性情報として設定値を持たせる。具体的には、３試行目の設定値適用画像の２頁目に、属性情報として設定値（カラー、ソート有）を持たせる（図６の左図）。また、頁を削除済み設定値適用画像であっても、合計頁数が、他試行目の設定値適用画像の合計頁数と一致するように、８試行目の設定値適用画像に、２頁目が削除されたという情報を残しておく。一方、オリジナル画像（の２頁目）（属性情報として設定値（カラー、ソート無）を持たせている。（図６の中央図））を画像メモリー１５に記憶しておく。設定値適用部１０４は、３試行目の設定値適用画像の２頁目の属性情報（カラー、ソート有）と、オリジナル画像の２頁目とに基づき、８試行目の設定値適用画像の２頁目を、新たに生成し直し、削除済みの８試行目の設定値適用画像の２頁目に対して置換する。（図６の右図は、オリジナル画像の２頁目に３試行目の設定値適用画像の２頁目の属性情報が反映されたことを示す。）これにより、８試行目の設定値適用画像は、２頁目だけが、３試行目の設定値適用画像の２頁目となる。
【００５７】
なお、ステップＳ１０４において、印刷する部数を１部としたが、印刷部数が３部以上の場合、２部以上（但し、印刷部数未満とする。）印刷しても良い。さらに、ステップＳ１０４において印刷する部数を、操作部１７を介して設定できるものとしても良い。
【００５８】
４．まとめ
典型的なお試し印刷の技術によれば、印刷部数を設定した後に、まず１部印刷し、ユーザーはその印刷結果を目視確認し、印刷結果に満足すれば、残り部数を印刷する。一方、ユーザーは、印刷結果に満足しなければ、設定値を入力し、再度１部印刷する。その後さらにユーザーが、印刷結果に満足しなければ、設定値を入力し直し、再度１部印刷する。ユーザーが印刷結果に満足するまで、設定値を入力し直し、その度に、１部ずつ印刷し続ける。このように、何度も設定値を入力し直す場合、以前の試行の印刷結果が良かったが、そのときの設定値が何であったか最早忘れており、同じ設定値を入力することが困難になり、結果として、以前の印刷結果を再現できなくなるおそれがある。
【００５９】
これに対して、本実施形態によれば、設定値適用部１０４は、試行回数分（ステップＳ１０５、ＹＥＳ）、設定値適用画像を画像メモリー１５に記憶する（ステップＳ１０７）。これにより、全ての設定値適用画像が画像メモリー１５に記憶されているので、以前の試行回の印刷結果が良かったとユーザーが後々考える場合、その試行回の設定値適用画像を選択し（ステップＳ１０８）、印刷することができる（ステップＳ１０９）。言い換えれば、以前の試行回の設定値を入力し直す必要が無い。
【００６０】
さらに、本実施形態によれば、画像取得部１０１は、オリジナル画像を画像メモリー１５に記憶し（ステップＳ１０１）、設定値取得部１０３は設定値をメモリーに記憶する（ステップＳ１０６）。これにより、一部の頁は或る試行回の印刷結果が良いが、その他の頁は別の試行回の印刷結果が良いとユーザー考える場合、その一部の頁だけ、或る試行回の設定値をオリジナル画像に適用して設定値適用画像を新たに作り直すことができる。そして、新たに作り直した一部の頁の設定値適用画像を、別の試行回の設定値適用画像の同じ頁に置換することができる。これにより、一部の頁は或る試行回の印刷結果が良いが、その他の頁は別の試行回の印刷結果が良いとユーザーが考える場合、頁毎に、異なる試行回の設定値を選択して設定値適用画像を生成することができる。
【００６１】
さらに、本実施形態によれば、ユーザーが満足する設定値適用画像を生成し、印刷しやすくなるため、結果として、お試し印刷の回数が減り、用紙使用枚数及び用紙コストの削減につながる。
【００６２】
本技術の各実施形態及び各変形例について上に説明したが、本技術は上述の実施形態にのみ限定されるものではなく、本技術の要旨を逸脱しない範囲内において種々変更を加え得ることは勿論である。
【符号の説明】
【００６３】
１０…ＭＦＰ
１０１…画像取得部
１０２…部数取得部
１０３…設定値取得部
１０４…設定値適用部
１０５…印刷実行部
【図１】
2018089841.tif 000003
【図２】
2018089841.tif 000004
【図３】
2018089841.tif 000005
【図４】
2018089841.tif 000006
【図５】
2018089841.tif 000007
【図６】
2018089841.tif 000008